(57)【要約】【課題】ディフューザの排気性能を向上させてガスタービン全体の効率向上を図ることができるタービン及びガスタービンを提供する。【解決手段】タービン２Ａは、タービンロータ２１と、タービンケーシングと、複数のタービン動翼２４と、タービン静翼と、ディフューザ４Ａと、を備えている。ディフューザ４Ａは、内筒４１と外筒とを備えている。内筒４１は、軸線方向の一方側から他方側に向かうに従って軸線を中心とする径方向の内側から外側に向かって延びる第一傾斜面５１を備えている。軸線を含む断面視で、最も軸線方向の他方側に配置されたタービン動翼２４のプラットフォーム５４を軸線方向の他方側に延長した延長線５５と、第一傾斜面５１のうち最も径方向外側に配置された第一頂部６１と、の軸線方向の同一位置における距離である第一距離Ｌ１は、タービン動翼２４の翼高さに対して１０％以下とされている。【選択図】図３
2018141451.tif 000002
【特許請求の範囲】
【請求項１】
軸線に沿って延びるとともに前記軸線回りに回転可能なタービンロータと、
前記タービンロータを外周側から覆うタービンケーシングと、
前記タービンロータの外周面上で前記軸線の周方向に配列された複数のタービン動翼と、
前記タービンケーシングの内周面上で前記タービン動翼に対して前記軸線方向の一方側に隣り合うように設けられるとともに、周方向に配列された複数のタービン静翼と、
前記タービン動翼の軸線方向の他方側に設けられ、軸線方向の一方側から他方側に向かって排気ガスが流れる排気流路を形成するディフューザと、
を備え、
前記ディフューザは、
前記軸線に沿って延びる内筒と、
前記内筒を外周側から覆うとともに、前記内筒との間に前記排気流路を形成する外筒と、を備え、
前記内筒は、
前記軸線方向の一方側から他方側に向かうに従って前記軸線を中心とする径方向の内側から外側に向かって延びる第一傾斜面を備え、
前記軸線を含む断面視で、最も軸線方向の他方側に配置された前記タービン動翼のプラットフォームを前記軸線方向の他方側に延長した延長線と、前記第一傾斜面のうち最も前記径方向の外側に配置された第一頂部と、の前記軸線方向の同一位置における距離である第一距離は、前記タービン動翼の翼高さに対して１０％以下とされているタービン。
【請求項２】
前記第一距離は、前記翼高さに対して５％以下とされている請求項１に記載のタービン。
【請求項３】
前記第一距離は、前記翼高さに対して３％以下とされている請求項１に記載のタービン。
【請求項４】
前記第一距離は、前記翼高さに対して０％よりも大きい請求項１から３の何れか一項に記載のタービン。
【請求項５】
前記第一頂部は、前記軸線方向における前記プラットフォームの他方側の縁部よりも前記径方向の外側に配置されている請求項１から４の何れか一項に記載のタービン。
【請求項６】
前記軸線方向における前記内筒と前記プラットフォームとの間に、前記排気流路へシールガスを流入させるためのシールガス流入口を備える請求項１から５の何れか一項に記載のタービン。
【請求項７】
前記内筒は、
前記第一傾斜面よりも前記軸線方向の他方側に配置されるとともに、前記延長線よりも前記径方向の外側に配置されて、前記軸線方向の一方側から他方側に向かうに従って前記径方向の外側から内側に向かって延びる第二傾斜面を備え、
前記延長線と、前記第二傾斜面のうち最も前記径方向外側に配置された第二頂部と、の前記軸線方向の同一位置における距離である第二距離は、前記タービン動翼の翼高さに対して１０％以下とされている請求項１から６の何れか一項に記載のタービン。
【請求項８】
前記第二距離は、前記翼高さに対して５％以下とされている請求項７に記載のタービン。
【請求項９】
前記第二距離は、前記翼高さに対して３％以下とされている請求項７に記載のタービン。
【請求項１０】
前記第二距離は、前記翼高さに対して０％よりも大きい請求項７から９の何れか一項に記載のタービン。
【請求項１１】
前記第一頂部と前記第二頂部とを接続する接続面を備え、
前記第二距離は、前記第一距離よりも長い請求項７から１０の何れか一項に記載のタービン。
【請求項１２】
前記ディフューザは、前記内筒と前記外筒とを接続するストラットを備え、
前記内筒は、
前記軸線方向で前記ストラットが配置されている範囲内に、前記軸線に対する傾斜角度が変化する変化点を備え、
前記軸線方向における前記内筒の入口から前記変化点までの範囲で、前記延長線とこの延長線よりも前記径方向の外側に配置される前記内筒の外周面との前記軸線方向の同一位置における距離である第三距離が、前記タービンの動翼の翼高さに対して１０％以下とされている請求項１から１１の何れか一項に記載のタービン。
【請求項１３】
前記第三距離は、前記翼高さに対して５％以下とされている請求項１２に記載のタービン。
【請求項１４】
前記第三距離は、前記翼高さに対して３％以下とされている請求項１２に記載のタービン。
【請求項１５】
前記第三距離は、前記翼高さに対して０％よりも大きい請求項１２から１４の何れか一項に記載のタービン。
【請求項１６】
前記ディフューザは、前記内筒と前記外筒とを接続するストラットを備え、
前記内筒は、
前記軸線方向で前記ストラットが配置されている範囲内に、前記軸線に対する傾斜角度が変化する変化点が形成されておらず、
前記軸線方向における前記内筒の入口から前記ストラットの中央位置までの範囲で、前記延長線と前記内筒の外周面との前記軸線方向の同一位置における距離である第四距離が、前記タービンの動翼の翼高さに対して１０％以下とされている請求項１から１５の何れか一項に記載のタービン。
【請求項１７】
前記第四距離は、前記翼高さに対して５％以下とされている請求項１６に記載のタービン。
【請求項１８】
前記第四距離は、前記翼高さに対して３％以下とされている請求項１６に記載のタービン。
【請求項１９】
前記第四距離は、前記翼高さに対して０％よりも大きい請求項１６から１８の何れか一項に記載のタービン。
【請求項２０】
空気を圧縮した圧縮空気を生成する圧縮機と、
前記圧縮空気に燃料を混合させて燃焼ガスを生成する燃焼器と、
前記燃焼ガスにより駆動される請求項１から１９の何れか一項に記載のタービンと、
を備えるガスタービン。
【発明の詳細な説明】
【技術分野】
【０００１】
この発明は、タービン及びガスタービンに関する。
【背景技術】
【０００２】
一般に、ガスタービンは、圧縮機と、燃焼器と、タービンと、を備えている。圧縮機は、外気を圧縮して高圧空気を生成し、燃焼器は、この圧縮機によって生成された高圧空気と燃料とを混合燃焼させることで高温高圧の燃焼ガスを生成する。タービンは、この燃焼器により生成された燃焼ガスによって駆動される。
【０００３】
タービンの下流側には、内筒と外筒とストラットとを有したディフューザが設けられている（例えば、特許文献１参照）。内筒は、ディフューザの内周側に配置されており、外筒は、この内筒を外周側から覆うことで内筒との間に排気流路を形成している。ストラットは、周方向に間隔をあけて複数設けられ、それぞれ内筒の外周面からタービンの径方向に延びている。これらストラットを介して、内筒及び外筒が接続されている。
【０００４】
ディフューザの排気流路は、燃焼ガスの流れる方向の上流から下流に向かうにしたがって次第に流路面積が拡大するように形成されている。タービンを駆動した燃焼ガス（排気ガス）は、このように形成された排気流路を通過することで静圧回復される。
上記ディフューザの性能向上は、ガスタービンの圧力比を実質的に増加させる。そのため、ディフューザの性能向上によってガスタービン全体の効率向上を図ることができる。
【先行技術文献】
【特許文献】
【０００５】
【特許文献１】特許第３９９９８０３号公報
【発明の概要】
【発明が解決しようとする課題】
【０００６】
ディフューザにおいて、排気流路を形成する内筒の外周面に境界層が形成される。ディフューザ流れは、逆圧力勾配であるため、流れの運動量が低下し易い。そのため、局所的な運動量欠損による剥離領域が生じると、流れの下流に向けて剥離が進展して大規模化する可能性がある。
【０００７】
この発明は、上記事情に鑑みてなされたものであり、ディフューザの排気性能を向上させてガスタービン全体の効率向上を図ることができるタービン及びガスタービンを提供するものである。
【課題を解決するための手段】
【０００８】
上記の課題を解決するために以下の構成を採用する。
この発明の第一態様によれば、タービンは、軸線に沿って延びるとともに前記軸線回りに回転可能なタービンロータと、前記タービンロータを外周側から覆うタービンケーシングと、前記タービンロータの外周面上で前記軸線の周方向に配列された複数のタービン動翼と、前記タービンケーシングの内周面上で前記タービン動翼に対して前記軸線方向の一方側に隣り合うように設けられるとともに、周方向に配列された複数のタービン静翼と、前記タービン動翼の軸線方向の他方側に設けられ、軸線方向の一方側から他方側に向かって排気ガスが流れる排気流路を形成するディフューザと、を備え、前記ディフューザは、前記軸線に沿って延びる内筒と、前記内筒を外周側から覆うとともに、前記内筒との間に前記排気流路を形成する外筒と、を備え、前記内筒は、前記軸線方向の一方側から他方側に向かうに従って前記軸線を中心とする径方向の内側から外側に向かって延びる第一傾斜面を備え、前記軸線を含む断面視で、最も軸線方向の他方側に配置された前記タービン動翼のプラットフォームを前記軸線方向の他方側に延長した延長線と、前記第一傾斜面のうち最も前記径方向の外側に配置された第一頂部と、の前記軸線方向の同一位置における距離である第一距離は、前記タービン動翼の翼高さに対して１０％以下とされている。
このように構成することで、第一傾斜面によって、境界層の発達を抑制して、内筒の外周面から流れが剥離することを抑制できる。
また、例えば、第一距離が翼高さの１０％を超える場合には、プラットフォームの延長線と第一頂部とのオフセット量が過大になり、内筒の外周面に沿う流れの向きが径方向外側を向き過ぎて剥離等を生じさせる可能性が有る。しかし、第一距離を翼高さの１０％以下とすることで、上記の流れの向きに起因する剥離を抑制しつつ、ディフューザの内筒の外周面に沿って形成される境界層の厚さを抑制できる。
【０００９】
この発明の第二態様によれば、第一態様に係る第一距離は、前記翼高さに対して５％以下とされていてもよい。
このように構成することで、より一層、流れの向きに起因する剥離を抑制することができる。
【００１０】
この発明の第三態様によれば、第一態様に係る第一距離は、前記翼高さに対して３％以下とされていてもよい。
このように構成することで、より一層、流れの向きに起因する剥離を抑制することができる。
【００１１】
この発明の第四態様によれば、第一から第三態様の何れか一つの態様に係る第一距離は、０％よりも大きくてもよい。
このように構成することで、延長線から第一頂部が径方向外側に配置される分だけ、排気ガスの主流の全圧を高めて、ディフューザの内筒の外周面に沿って形成される境界層の厚さを抑制できる。
【００１２】
この発明の第五態様によれば、第一から第四態様の何れか一つの態様に係る第一頂部は、前記軸線方向における前記プラットフォームの他方側の縁部よりも前記径方向の外側に配置されていてもよい。
このように構成することで、タービン動翼出口における境界層の厚さよりも、ディフューザの第一頂部の位置における境界層の厚さを減少させることができる。そのため、ディフューザの下流側に向かって境界層が発達することを抑制できる。
【００１３】
この発明の第六態様によれば、第一から第五態様の何れか一つの態様に係るタービンにおいて、前記軸線方向における前記内筒と前記プラットフォームとの間に、前記排気流路へシールガスを流入させるためのシールガス流入口を備えていてもよい。
このように構成することで、ディフューザの入口においてシールガスが流入する場合であっても、内筒の外周面近傍の流れの速度が低下することを抑制できる。そのため、シールガスの流入によって境界層が発達し易い条件下にあっても、内筒の外周面に沿う境界層が下流側に向かって発達して境界層の流れが剥離してしまうことを抑制できる。
【００１４】
この発明の第七態様によれば、第一から第六態様の何れか一つの態様に係る内筒は、前記第一傾斜面よりも前記軸線方向の他方側に配置されるとともに、前記延長線よりも前記径方向の外側に配置されて、前記軸線方向の一方側から他方側に向かうに従って前記径方向の外側から内側に向かって延びる第二傾斜面を備え、前記延長線と、前記第二傾斜面のうち最も前記径方向外側に配置された第二頂部と、の前記軸線方向の同一位置における距離である第二距離は、前記タービン動翼の翼高さに対して１０％以下とされていてもよい。
このように構成することで、第二傾斜面によってディフューザの流路断面積を径方向内側に向かって拡大することができる。さらに、第二頂部がタービン動翼の翼高さに対して１０％以下であるため、流れが第二頂部を超える際に、第二傾斜面の傾斜よって流れが剥離してしまうことを抑制できる。
【００１５】
この発明の第八態様によれば、第七態様に係る第二距離は、前記翼高さに対して５％以下とされていてもよい。
このように構成することで、より一層、剥離を抑制することができる。
【００１６】
この発明の第九態様によれば、第七態様に係る第二距離は、前記翼高さに対して３％以下とされていてもよい。
このように構成することで、より一層、剥離を抑制することができる。
【００１７】
この発明の第十態様によれば、第七から第九態様の何れか一つの態様に係る第二距離は、０％よりも大きくてもよい。
このように構成することで、延長線から第二頂部が径方向外側に配置される分だけ、排気ガスの主流の全圧を高めて、ディフューザの内筒の外周面に沿って形成される境界層の厚さを抑制できる。
【００１８】
この発明の第十一態様によれば、第七から第十態様の何れか一つの態様に係るタービンにおいて、前記第一頂部と前記第二頂部とを接続する接続面を備え、前記第二距離は、前記第一距離よりも長くしてもよい。
このように構成することで、第一傾斜面と接続面との角度差、接続面と第二傾斜面との角度差をそれぞれ小さくすることができる。その結果、第一傾斜面と接続面との間、及び接続面と第二傾斜面との間でそれぞれ流れが剥離することを抑制できる。
【００１９】
この発明の第十二態様によれば、第一から第十一態様の何れか一つの態様に係るディフューザは、前記内筒と前記外筒とを接続するストラットを備え、前記内筒は、前記軸線方向で前記ストラットが配置されている範囲内に、前記軸線に対する傾斜角度が変化する変化点を備え、前記軸線方向における前記内筒の入口から前記変化点までの範囲で、前記延長線とこの延長線よりも前記径方向の外側に配置される前記内筒の外周面との前記軸線方向の同一位置における距離である第三距離が、前記タービンの動翼の翼高さに対して１０％以下とされていてもよい。
ストラットの下流側においては、流路断面積が拡大して境界層が発達し易い。これに対して、第三距離をタービンの動翼の翼高さに対して１０％以下とすることで、動翼からストラットの位置で流れの剥離が生じることを抑制しつつ、境界層の発達も抑制できる。そのため、ディフューザの性能を向上できる。
【００２０】
この発明の第十三態様によれば、第十二態様に係る第三距離は、前記翼高さに対して５％以下とされていてもよい。
このように構成することで、より一層、ストラットよりも上流側で剥離が生じることを抑制できる。
【００２１】
この発明の第十四態様によれば、第十二態様に係る第三距離は、前記翼高さに対して３％以下とされていてもよい。
このように構成することで、より一層、ストラットよりも上流側で剥離が生じることを抑制できる。
【００２２】
この発明の第十五態様によれば、第十二から第十四態様の何れか一つの態様に係る第三距離は、０％よりも大きくてもよい。
このように構成することで、延長線よりも径方向外側に内筒の外周面が配置される分だけ、排気ガスの主流の全圧を高めて、ディフューザの内筒の外周面に沿って形成される境界層の厚さを抑制できる。
【００２３】
この発明の第十六態様によれば、第一から第十五態様の何れか一つの態様に係るディフューザは、前記内筒と前記外筒とを接続するストラットを備え、前記内筒は、前記軸線方向で前記ストラットが配置されている範囲内に、前記軸線に対する傾斜角度が変化する変化点が形成されておらず、前記軸線方向における前記内筒の入口から前記ストラットの中央位置までの範囲で、前記延長線と前記内筒の外周面との前記軸線方向の同一位置における距離である第四距離が、前記タービンの動翼の翼高さに対して１０％以下とされていてもよい。
ストラットの下流側においては、流路断面積が拡大して境界層が発達し易い。これに対して、第四距離をタービンの動翼の翼高さに対して１０％以下とすることで、動翼からストラットの位置まで流れの剥離が生じることを抑制しつつ、境界層の発達も抑制できる。そのため、ディフューザの性能を向上できる。
【００２４】
この発明の第十七態様によれば、第十二態様に係る第四距離は、前記翼高さに対して５％以下とされていてもよい。
このように構成することで、より一層、ストラットよりも上流側で剥離が生じることを抑制できる。
【００２５】
この発明の第十八態様によれば、第十二態様に係る第四距離は、前記翼高さに対して３％以下とされていてもよい。
このように構成することで、より一層、ストラットよりも上流側で剥離が生じることを抑制できる。
【００２６】
この発明の第十九態様によれば、第十二から第十四態様の何れか一つの態様に係る第四距離は、０％よりも大きくてもよい。
このように構成することで、延長線よりも径方向外側に内筒の外周面が配置される分だけ、排気ガスの主流の全圧を高めて、ディフューザの内筒の外周面に沿って形成される境界層の厚さを抑制できる。
【００２７】
この発明の第二十態様によれば、ガスタービンは、空気を圧縮した圧縮空気を生成する圧縮機と、前記圧縮空気に燃料を混合させて燃焼ガスを生成する燃焼器と、前記燃焼ガスにより駆動される第一から第十九態様の何れか一つの態様に係るタービンと、を備える。
このように構成することで、タービンのディフューザにおける圧力回復を効率よく行うことができるため、性能向上を図ることができる。
【発明の効果】
【００２８】
上記タービン及びガスタービンによれば、ディフューザの排気性能を向上させてガスタービン全体の効率向上を図ることができる。
【図面の簡単な説明】
【００２９】
【図１】この発明の第一実施形態のガスタービンの概略構成を示す構成図である。
【図２】この発明の第一実施形態におけるディフューザの軸線に沿う断面図である。
【図３】この発明の第一実施形態におけるディフューザ入口を拡大した概略図である。
【図４】この発明の第二実施形態における図３に相当する図である。
【図５】この発明の第三実施形態における図３に相当する図である。
【発明を実施するための形態】
【００３０】
（第一実施形態）
次に、この発明の第一実施形態におけるタービン及びガスタービンを図面に基づき説明する。
図１は、この発明の第一実施形態のガスタービンの概略構成を示す構成図である。
図１に示すように、この第一実施形態に係るガスタービン１００は、圧縮機１と、燃焼器３と、タービン２Ａと、を備えている。
【００３１】
圧縮機１は、高圧空気を生成する。圧縮機１は、圧縮機ロータ１１と、圧縮機ケーシング１２と、を備えている。圧縮機ケーシング１２は、圧縮機ロータ１１を外周側から覆っており、軸線Ａｍに沿って延びている。
【００３２】
圧縮機ロータ１１の外周面には、軸線Ａｍ方向に間隔をあけて配列された複数の圧縮機動翼段１３が設けられている。これら圧縮機動翼段１３は、複数の圧縮機動翼１４をそれぞれ備えている。各圧縮機動翼段１３の圧縮機動翼１４は、圧縮機ロータ１１の外周面上で軸線Ａｍの周方向に間隔をあけて配列されている。
【００３３】
圧縮機ケーシング１２の内周面には、軸線Ａｍ方向に間隔をあけて配列された複数の圧縮機静翼段１５が設けられている。これら圧縮機静翼段１５は、軸線Ａｍ方向で上記圧縮機動翼段１３と交互に配置されている。これら圧縮機静翼段１５は、複数の圧縮機静翼１６をそれぞれ備えている。各圧縮機静翼段１５の圧縮機静翼１６は、圧縮機ケーシング１２の内周面上で軸線Ａｍの周方向に間隔をあけて配列されている。
【００３４】
燃焼器３は、圧縮機１で生成された高圧空気に燃料を混合して燃焼させることで燃焼ガスを生成する。燃焼器３は、圧縮機ケーシング１２とタービン２Ａのタービンケーシング２２との間に設けられている。この燃焼器３によって生成された燃焼ガスは、タービン２Ａに供給される。
【００３５】
タービン２Ａは、燃焼器３で生成された燃焼ガスによって駆動する。このタービン２Ａは、タービンロータ２１と、タービンケーシング２２と、ディフューザ４Ａと、を有している。
タービンロータ２１は、軸線Ａｍに沿って延びている。このタービンロータ２１の外周面には、軸線Ａｍ方向に間隔をあけて配列された複数のタービン動翼段２３が設けられている。これらタービン動翼段２３は、複数のタービン動翼２４をそれぞれ備えている。各タービン動翼段２３のタービン動翼２４は、タービンロータ２１の外周面上で軸線Ａｍの周方向に間隔をあけて配列されている。
【００３６】
タービンケーシング２２は、タービンロータ２１を外周側から覆っている。このタービンケーシング２２の内周面には、軸線Ａｍ方向に間隔をあけて配列された複数のタービン静翼段２５が設けられている。タービン静翼段２５は、軸線Ａｍ方向で上記タービン動翼段２３と交互に配置されている。これらタービン静翼段２５は、複数のタービン静翼２６をそれぞれ備えている。各タービン静翼段２５のタービン静翼２６は、タービンケーシング２２の内周面上で軸線Ａｍの周方向に間隔をあけて配列されている。
【００３７】
圧縮機ロータ１１とタービンロータ２１とは、軸線Ａｍ方向に一体に接続されている。これら圧縮機ロータ１１とタービンロータ２１とによって、ガスタービンロータ９１が構成されている。同様に、圧縮機ケーシング１２とタービンケーシング２２とは、軸線Ａｍに沿って一体に接続されている。これら圧縮機ケーシング１２とタービンケーシング２２とによってガスタービンケーシング９２が構成されている。
ガスタービンロータ９１は、ガスタービンケーシング９２の内部で軸線Ａｍ回りに一体に回転可能とされている。
【００３８】
ガスタービン１００を運転するに当たっては、まず外部の駆動源によって圧縮機ロータ１１（ガスタービンロータ９１）を回転駆動する。圧縮機ロータ１１の回転に伴って外部の空気が順次圧縮され、高圧空気が生成される。この高圧空気は、圧縮機ケーシング１２を通じて燃焼器３内に供給される。燃焼器３内では、燃料がこの高圧空気に混合されて燃焼し、高温高圧の燃焼ガスが生成される。燃焼ガスはタービンケーシング２２を通じてタービン２Ａ内に供給される。タービン２Ａ内では、タービン動翼段２３、及びタービン静翼段２５に燃焼ガスが順次衝突することで、タービンロータ２１（ガスタービンロータ９１）に対して回転駆動力が与えられる。この回転エネルギーは、例えば、軸端に連結された発電機Ｇ等の駆動に利用される。タービン２Ａを駆動した燃焼ガスは、排気ガスとしてディフューザ４Ａを通過する際に圧力（静圧）が高められた後、外部に排出される。
【００３９】
図２は、この発明の第一実施形態におけるディフューザの軸線に沿う断面図である。
図１、図２に示すように、ディフューザ４Ａは、タービンケーシング２２（ガスタービンケーシング９２）に一体に設けられている。このディフューザ４Ａは、内筒４１と、外筒４２と、ストラット４３，４４と、を備えている。
【００４０】
内筒４１は、軸線Ａｍに沿って延びる筒状に形成されている。この内筒４１の内側には、ガスタービンロータ９１の軸端部９１Ａを回転可能に支持する軸受装置等が設けられている。
【００４１】
外筒４２は、内筒４１を外周側から覆う筒状に形成されている。外筒４２は、内筒４１との間に、タービン２Ａから排出された排気ガスが流れる排気流路Ｃを形成している。外筒４２と内筒４１との間に形成されている排気流路Ｃの断面積（軸線Ａｍに直交する断面積）は、軸線Ａｍ方向一方側から他方側に向かって、徐々に拡大している。このように排気流路Ｃの断面積が次第に拡大することで、排気流路Ｃ内を流れる排気ガスの運動エネルギーが、漸次圧力エネルギーに変換（圧力回復）される。
【００４２】
ストラット４３，４４は、排気流路Ｃの中に配置され、内筒４１と外筒４２とを接続している。これらストラット４３，４４によって内筒４１に対して外筒４２が固定・支持されている。ストラット４３は、複数のタービン動翼段２３のうちで軸線Ａｍ方向の最も他方側に位置する最終段のタービン動翼段２３に対して、軸線Ａｍ方向で隣り合うように配置されている。
【００４３】
ストラット４４は、ストラット４３から軸線Ａｍ方向他方側に離間した位置に設けられている。なお、この第一実施形態におけるストラット４３，４４は、排気ガスに対する形状抵抗を低減可能な形状となっている。排気ガスに対する形状抵抗を低減可能な形状としては、例えば、排気ガスの流れる方向に長い断面長円形状や、排気ガスの流れる方向に翼弦が延びる翼型を例示できる。
【００４４】
図３は、この発明の第一実施形態におけるディフューザ入口を拡大した概略図である。
図３に示すように、ガスタービン１００は、ディフューザ４Ａの入口に、シールガス流入口５０を備えている。このシールガス流入口５０は、例えば、圧縮機１により生成した圧縮空気の一部等をシールガスとして、上述したディフューザ４Ａの内筒４１と、タービンロータ２１との隙間から、排気流路Ｃの内側に向かって流入させている。
【００４５】
内筒４１の外周面４１Ａは、第一傾斜面５１と第二傾斜面５２と、接続面５３と、を備えている。
第一傾斜面５１は、軸線Ａｍ方向の一方側であるタービンロータ２１側から他方側であるディフューザ４Ａの出口側に向かうに従って軸線Ａｍを中心とする径方向の内側から外側に向かうように延びている。この図３で示す断面における第一傾斜面５１は、タービンロータ２１側ほど軸線Ａｍに一定の傾斜角度で近づく傾斜面である場合を例示している。しかし、第一傾斜面５１は、一定の傾斜角度である場合に限られない。例えば、図３の断面において、軸線Ａｍ方向の一方側から他方側に向かうに従って軸線Ａｍを中心とする径方向の内側から外側に向かう凸曲面状や凹曲面状としても良い。この凸曲面状や凹曲面状の曲率半径は、例えば、軸線Ａｍ方向における第一傾斜面５１の長さよりも長くすることが好ましい。また、第一傾斜面５１は、上記の凸曲面や凹曲面を組み合わせて形成しても良い。
【００４６】
第一傾斜面５１は、軸線Ａｍを含む断面視で、最も下流側に配置されたタービン動翼段２３のタービン動翼２４のプラットフォーム５４を軸線Ａｍ方向の他方側に延長した延長線５５（図３中、破線で示す）と交差するように配置されている。言い換えれば、第一傾斜面５１の軸線Ａｍ方向における一方側の前縁部５６ａは、延長線５５よりも軸線Ａｍを中心とする径方向の内側に配置されている。さらに、第一傾斜面５１の軸線Ａｍ方向における他方側の後縁部５６ｂは、延長線５５よりも軸線Ａｍを中心とする径方向の外側に配置されている。この第一実施形態における、軸線Ａｍを含む断面における第一傾斜面５１と延長線５５とのなす角のうち、径方向内側の角の角度θは、鋭角（例えば、１５度程度）となっている。なお、第一傾斜面５１が曲面である場合には、上記断面における曲面の接線と延長線５５とのなす角度θが鋭角となる。
【００４７】
第一傾斜面５１は、内筒４１において、軸線Ａｍ方向の最も一方側に形成されている。この第一実施形態における第一傾斜面５１は、梁部５７に形成されている。この梁部５７は、シールガス流入口５０の軸線Ａｍ方向他方側の内壁５８から、軸線Ａｍ方向一方側に向かって片持ち梁の如く延びている。この第一実施形態における梁部５７は、径方向内側に上記第一傾斜面５１と平行な下面５９を有している場合を例示している。しかし、下面５９は、第一傾斜面５１と平行な形状に限られるものではない。
【００４８】
第二傾斜面５２は、第一傾斜面５１よりも軸線Ａｍ方向の他方側に配置されている。この第二傾斜面５２は、延長線５５よりも径方向の外側に配置されている。
【００４９】
この図３で示す断面における第二傾斜面５２は、ディフューザ４Ａの出口に向かうにつれて軸線Ａｍに一定の傾斜角度で近づく傾斜面である場合を例示している。しかし、第二傾斜面５２は、第一傾斜面５１と同様に、一定の傾斜角度である場合に限られない。例えば、第二傾斜面５２は、第一傾斜面５１と同様に、図３の断面において、軸線Ａｍ方向の一方側から他方側に向かうに従って軸線Ａｍを中心とする径方向の外側から内側に向かう凸曲面状や凹曲面状としても良い。この凸曲面状や凹曲面状の曲率半径は、例えば、軸線Ａｍ方向における第二傾斜面５２の長さよりも長くすることができる。また、第二傾斜面５２は、上記の凸曲面や凹曲面を組み合わせて形成しても良い。
【００５０】
接続面５３は、第一傾斜面５１と第二傾斜面５２とを接続している。より具体的には、接続面５３は、第一傾斜面５１のうち最も軸線Ａｍ方向の他方側に配置された第一頂部６１と、第二傾斜面５２のうち最も軸線Ａｍ方向の一方側に配置された第二頂部６２とを接続している。この第一実施形態における第一傾斜面５１と接続面５３との間、接続面５３と第二傾斜面５２との間は、それぞれ角が形成されないように曲面状に接続されている場合を例示している。この接続面５３は、図３に示す断面において直線状に形成される場合に限られない。接続面５３は、上述した直線状に形成される場合と比較して、流れの剥離が生じない範囲で僅かに湾曲していても良い。
【００５１】
第一頂部６１は、第一傾斜面５１のうち最も延長線５５から径方向外側に離間している箇所である。この第一頂部６１は、軸線Ａｍ方向におけるプラットフォーム５４の他方側の縁部５４Ａよりも径方向の外側に配置されている。
同様に第二頂部６２は、第二傾斜面５２のうち最も延長線５５から径方向外側に離間している箇所である。この第二頂部６２も、軸線Ａｍ方向におけるプラットフォーム５４の他方側の縁部５４Ａよりも径方向の外側に配置されている。
【００５２】
軸線Ａｍ方向の同一位置における第一頂部６１と延長線５５との第一距離Ｌ１は、同じく第二頂部６２と延長線との距離である第二距離Ｌ２よりも僅かに短くなっている。これにより、接続面５３は、軸線Ａｍと平行な面又は軸線Ａｍに平行な面に近似した形状となっている。
【００５３】
第一距離Ｌ１は、最も下流側のタービン動翼段２３を構成するタービン動翼２４の翼高さに対して０％よりも大きく１０％以下とすることができる。ここで、第一距離Ｌ１は、０％よりも大きく５％以下としても良い。さらに、第一距離Ｌ１は、０％よりも大きく３％以下としても良い。
【００５４】
第二距離Ｌ２は、第一距離Ｌ１と同様に、最も下流側のタービン動翼段２３を構成するタービン動翼２４の翼高さに対して０％よりも大きく１０％以下とすることができる。さらに、第二距離Ｌ２は、０％よりも大きく５％以下としても良い。さらに、第二距離Ｌ２は、０％よりも大きく３％以下としても良い。
【００５５】
図３において、太い実線で示しているのは、軸線Ａｍ方向における排気ガスの速度分布である。この速度分布において、プラットフォーム５４付近においては、流れがプラットフォーム５４に接することで、流速が低下していることを示している。この流速の低下する範囲が径方向外側に増加することが、境界層の発達を意味する。
【００５６】
図３に示すように、最下流のタービン動翼段２３の下流側における排気ガスの主流は、プラットフォーム５４に沿って境界層を形成する。ここで、図３においては、プラットフォーム５４よりも径方向外側に示す破線Ｈの位置がプラットフォーム５４で形成された境界層の最も径方向外側の位置を意味している。ここで示すプラットフォーム５４の境界層の厚さは、一例でありこの厚さに限られない。この境界層は、通常、下流に向かって徐々に発達して、図３中二点鎖線で示す速度分布のように、流速が低下する。
【００５７】
これに対して、上述した第一実施形態のタービン２Ａは、第一傾斜面５１を有している。そのため、流れが第一傾斜面５１に衝突し、境界層の発達を抑制する。
【００５８】
ここで、第一頂部６１における第一距離Ｌ１の値が大きすぎると、排気ガスの主流に対して第一傾斜面５１によって案内された流れの角度が大きくなりすぎる場合がある。このように流れの角度が大きくなりすぎると、流れが第一頂部６１を超えたところで剥離する可能性が有る。
【００５９】
しかし、上述した第一実施形態によれば、第一頂部６１における第一距離Ｌ１が１０％以下とされている。そのため、上記の流れの向きに起因する剥離を抑制しつつ、ディフューザ４Ａの内筒４１の外周面４１Ａに沿って形成される境界層の厚さを抑制できる。
【００６０】
第一距離Ｌ１をタービン動翼２４の翼高さに対して５％以下とした場合は、１０％以下とした場合よりも流れの向きに起因する剥離を抑制することができる。
第一距離Ｌ１をタービン動翼２４の翼高さに対して３％以下とした場合は、５％以下とした場合よりも、より一層流れの向きに起因する剥離を抑制することができる。
また、第一距離Ｌ１は、タービン動翼２４の翼高さに対して０％よりも大きく設定されているため、延長線５５から第一頂部６１が径方向外側に配置される分だけ、排気ガスの主流の全圧を高めて、ディフューザ４Ａの内筒４１の外周面４１Ａに沿って形成される境界層の厚さを抑制できる。
【００６１】
さらに、第一頂部６１は、軸線Ａｍ方向におけるプラットフォーム５４の他方側の縁部５４Ａよりも径方向の外側に配置されている。そのため、タービン動翼２４の出口における境界層の厚さよりも、ディフューザ４Ａの第一頂部６１の位置における境界層の厚さを減少させることができる。その結果、ディフューザ４Ａの境界層が発達することを抑制できる。また、第一傾斜面５１よりも軸線Ａｍ方向他方側の内筒４１の外周面４１Ａが径方向外側に配置されることにより、主流の全圧を高めることができる。そのため、主流の全圧が高まる分だけ、境界層の発達を低減することができる。
【００６２】
さらに、内筒４１が、第一傾斜面５１よりも軸線Ａｍ方向の他方側に配置されるとともに、延長線５５よりも径方向の外側に配置されて、軸線Ａｍ方向の一方側から他方側に向かうに従って径方向の外側から内側に向かって延びる第二傾斜面５２を備えている。そのため、ディフューザ４Ａの排気流路を内筒４１側に広げることができ、ディフューザ４Ａの性能を向上することができる。
また、第二距離Ｌ２が、タービン動翼２４の翼高さに対して１０％以下とされていることで、流れが第二頂部６２を超える際に、第二傾斜面５２の傾斜よって流れが剥離してしまうことを抑制できる。
ここで、タービン動翼２４の出口の流れは、境界層を有しており、１０％程度の段差を設けることで、その全て又はその一部を切り取ることができる。そのため、境界層の厚さを低減できる。
【００６３】
第二距離Ｌ２をタービン動翼２４の翼高さに対して５％以下とした場合は、境界層の厚さを低減しつつ、１０％以下とした場合よりも流れの向きに起因する剥離を抑制することができる。
第二距離Ｌ２をタービン動翼２４の翼高さに対して３％以下とした場合は、５％以下とした場合よりも、より一層、流れの剥離を抑制することができる。
また、第二距離Ｌ２は、タービン動翼２４の翼高さに対して０％よりも大きく設定されているため、延長線５５から第二頂部６２が径方向外側に配置される分だけ、排気ガスの主流の全圧を高めて、ディフューザ４Ａの内筒４１の外周面４１Ａに沿って形成される境界層の厚さを抑制できる。
【００６４】
また、接続面５３が形成されていることで、第一傾斜面５１と接続面５３との角度差、接続面５３と第二傾斜面５２との角度差をそれぞれ小さくすることができる。その結果、第一傾斜面５１と接続面５３との間、及び接続面５３と第二傾斜面５２との間でそれぞれ流れが剥離することを抑制できる。
【００６５】
（第二実施形態）
次に、この発明の第二実施形態におけるタービンを図面に基づき説明する。この第二実施形態は、上述した第一実施形態に対して、内筒４１の外周面４１Ａと延長線５５との距離が異なるだけである。そのため、第一実施形態と同一部分に同一符号を付して説明するとともに、重複する説明を省略する。
【００６６】
図４は、この発明の第二実施形態における図３に相当する図である。
図４に示すように、この第二実施形態のタービン２Ｂのディフューザ４Ｂは、内筒１４１と、外筒４２（図示せず）と、ストラット４３（ストラット４４は図示せず）と、を備えている。
このディフューザ４Ｂは、上述した第一実施形態のディフューザ４Ａと同様に、内筒１４１と、外筒４２との間に排気流路Ｃを形成している。
【００６７】
内筒１４１の外周面１４１Ａは、第一傾斜面５１と第二傾斜面１５２と、接続面５３と、第三傾斜面７０と、を備えている。
【００６８】
第一傾斜面５１は、上述した第一実施形態と同様に、軸線Ａｍ方向の一方側であるタービンロータ２１側から他方側であるディフューザ４Ｂの出口側に向かうに従って軸線Ａｍを中心とする径方向の内側から外側に向かうように延びている。そして、第一傾斜面５１は、図４に示す軸線Ａｍを含む断面視で、最も下流側に配置されたタービン動翼段２３のタービン動翼２４のプラットフォーム５４を軸線Ａｍ方向の他方側に延長した延長線５５（図４中、破線で示す）と交差するように配置されている。また、第一傾斜面５１は、内筒１４１において、軸線Ａｍ方向の最も一方側に形成されている。
【００６９】
第二傾斜面１５２は、上述した第一実施形態の第二傾斜面５２と同様に、第一傾斜面５１よりも軸線Ａｍ方向の他方側に配置されている。この第二傾斜面１５２は、延長線５５よりも径方向の外側に配置されている。この第二傾斜面１５２の軸線Ａｍ方向の他方側の縁部１５２Ａは、軸線Ａｍ方向でストラット４３と重なる位置に配置されている。
【００７０】
接続面５３は、第一実施形態と同様に、第一傾斜面５１と第二傾斜面１５２とを接続している。つまり、接続面５３は、第一傾斜面５１のうち最も軸線Ａｍ方向の他方側に配置された第一頂部６１と、第二傾斜面１５２のうち最も軸線Ａｍ方向の一方側に配置された第二頂部６２とを接続している。
【００７１】
第三傾斜面７０は、第二傾斜面１５２の軸線Ａｍ方向の他方側の縁部１５２Ａからディフューザ４Ｂの出口に向かって延びている。第三傾斜面７０は、延長線５５に対する第二傾斜面１５２の傾きとは反対方向の傾きとなるように形成されている。この第二実施形態で例示する第三傾斜面７０は、軸線Ａｍ方向の一方側から他方側に向かうにつれて、延長線５５から徐々に離間するように傾斜している。さらに言い換えれば、内筒４１は、軸線Ａｍ方向でストラット４３が配置されている範囲内に、軸線Ａｍに対する傾斜角度が変化する変化点Ｐを備えている。ここで、軸線Ａｍに対する傾斜角度とは、軸線Ａｍを含む断面（例えば、図４に示す断面）において軸線Ａｍを基準とした内筒４１の傾斜角度と称することもできる。また、傾斜角度が変化するとは、傾斜角度が予め設定された閾値以上変化することを意味する。
【００７２】
例えば、軸線Ａｍを含む断面視で第二傾斜面１５２、第三傾斜面７０が凸曲面や凹曲面を含む場合、変化点Ｐは、これら第二傾斜面１５２の接線の傾きに対して、第三傾斜面７０の接線の傾きが、プラスからマイナス（図４では、右肩上がりから右肩下がり）、又はマイナスからプラス（例えば、右肩下がりから右肩上がり）に変化する箇所である。さらに言い換えれば、変化点Ｐは、谷折り又は山折りの如く形成されている箇所を意味している。つまり、この第二実施形態においては、変化点Ｐを挟んで、内筒４１が軸線Ａｍ方向一方側から他方側に向かって縮径から拡径に移行している場合を例示したが、これに限られるものではない。
【００７３】
ここで、延長線５５に対する第一傾斜面５１、第二傾斜面１５２及び接続面５３の傾斜角度又は傾斜の向きは、それぞれ異なっている。そのため、軸線Ａｍ方向の同一位置における延長線５５と、内筒１４１の外周面１４１Ａとの距離は、第一傾斜面５１、第二傾斜面１５２、接続面５３の形状に応じて変化する。
このような内筒１４１の外周面１４１Ａとの距離のうち、軸線Ａｍ方向における内筒１４１の入口から変化点Ｐまでの範囲で最も大きい値となる距離を第三距離Ｌ３とすると、この第三距離Ｌ３は、最も下流側（言い換えれば、軸線Ａｍ方向の他方側）に配置されたタービン動翼段２３のタービン動翼２４の翼高さに対して１０％以下とされている。なお、この第二実施形態の図４で示す第三距離Ｌ３は、第二傾斜面１５２のうち最も軸線Ａｍ方向の一方側の箇所と延長線５５との距離（第一実施形態の第二距離Ｌ２）となっているが、第一傾斜面５１、第二傾斜面１５２、接続面５３の形状によって、第三距離Ｌ３の位置は変化する。
【００７４】
上述した第三距離Ｌ３は、最も下流側のタービン動翼段２３を構成するタービン動翼２４の翼高さに対して、０％よりも大きく５％以下としても良い。さらに、第三距離Ｌ３は、０％よりも大きく３％以下としても良い。
【００７５】
排気流路Ｃは、ストラット４３の下流側において、流路断面積が拡大して境界層が発達し易い。
そこで、上述した第二実施形態では、第三距離Ｌ３をタービン動翼２４の翼高さに対して１０％以下としている。このように構成することで、流れの向きに起因する剥離が生じることを抑制できる。そのため、タービン動翼２４からストラット４３の位置まで、流れに剥離が生じることを抑制しつつ、境界層の発達も抑制できる。その結果、ディフューザ４Ｂの性能を向上できる。
これに対して第三距離Ｌ３をタービン動翼２４の翼高さに対して１０％よりも大きくすると、流れの向きが径方向外側を向き過ぎてしまう。そのため、流れの向きに起因する剥離が生じることを助長してしまい、ストラット４３の下流側で、流れが剥離してしまう可能性がある。
【００７６】
第三距離Ｌ３をタービン動翼２４の翼高さに対して５％以下とした場合は、境界層の厚さを低減しつつ、１０％以下とした場合よりも更に流れの向きに起因する剥離を抑制することができる。
第三距離Ｌ３をタービン動翼２４の翼高さに対して３％以下とした場合は、５％以下とした場合よりも、より一層、流れの向きに起因する剥離を抑制することができる。
【００７７】
また、第三距離Ｌ３は、タービン動翼２４の翼高さに対して０％よりも大きく設定されているため、延長線５５から内筒１４１の外周面１４１Ａが径方向外側に配置される分だけ、排気ガスの主流の全圧を高めて、外周面１４１Ａに沿って形成される境界層の厚さを抑制できる。
その結果、ストラット４３よりも軸線Ａｍ方向の他方側で排気流路Ｃの流路断面積が拡大しても、流れが剥離するほど境界層が発達することを抑制できる。
【００７８】
（第三実施形態）
次に、この発明の第三実施形態におけるタービンを図面に基づき説明する。この第三実施形態は、上述した第二実施形態に対して、軸線Ａｍ方向でストラット４３の形成される位置に変化点Ｐを備えていない点で相違する。そのため、第二実施形態と同一部分に同一符号を付して説明するとともに、重複する説明を省略する。
【００７９】
図５は、この発明の第三実施形態における図３に相当する図である。
図５に示すように、この第三実施形態のタービン２Ｃのディフューザ４Ｃは、内筒２４１と、外筒４２（図示せず）と、ストラット４３（ストラット４４は図示せず）と、を備えている。
このディフューザ４Ｃは、上述した第一実施形態のディフューザ４Ａと同様に、内筒２４１と、外筒４２との間に排気流路Ｃを形成している。
【００８０】
内筒２４１の外周面２４１Ａは、第一傾斜面５１と第二傾斜面２５２と、接続面５３と、を備えている。
【００８１】
第一傾斜面５１は、上述した第一実施形態と同様に、軸線Ａｍ方向の一方側であるタービンロータ２１側から他方側であるディフューザ４Ｃの出口側に向かうに従って軸線Ａｍを中心とする径方向の内側から外側に向かうように延びている。そして、第一傾斜面５１は、図５に示す軸線Ａｍを含む断面視で、最も下流側に配置されたタービン動翼段２３のタービン動翼２４のプラットフォーム５４を軸線Ａｍ方向の他方側に延長した延長線５５（図５中、破線で示す）と交差するように配置されている。また、第一傾斜面５１は、内筒２４１において、軸線Ａｍ方向の最も一方側に形成されている。
【００８２】
第二傾斜面２５２は、上述した第一実施形態の第二傾斜面５２と同様に、第一傾斜面５１よりも軸線Ａｍ方向の他方側に配置されている。この第二傾斜面２５２は、延長線５５よりも径方向の外側に配置されている。
【００８３】
接続面５３は、第一実施形態と同様に、第一傾斜面５１と第二傾斜面２５２とを接続している。つまり、接続面５３は、第一傾斜面５１のうち最も軸線Ａｍ方向の他方側に配置された第一頂部６１と、第二傾斜面２５２のうち最も軸線Ａｍ方向の一方側に配置された第二頂部６２とを接続している。
【００８４】
この第三実施形態における内筒２４１は、軸線Ａｍ方向において、ストラット４３の配置されている範囲内に第二実施形態で説明した変化点Ｐ（図４参照）が形成されていない。
この第三実施形態においては、軸線Ａｍを含む断面視で、内筒２４１が一定の割合で縮径するように、第二傾斜面２５２がストラット４３の軸線Ａｍ方向一方側から、ストラット４３の軸線Ａｍ方向他方側まで一直線状に延びている場合を例示している。
【００８５】
ここで、延長線５５に対する第一傾斜面５１、第二傾斜面２５２及び接続面５３の傾斜角度又は傾斜の向きは、それぞれ異なっている。そのため、軸線Ａｍ方向の同一位置における延長線５５と、内筒２４１の外周面２４１Ａとの距離は、第一傾斜面５１、第二傾斜面２５２、接続面５３の形状に応じて変化する。
このような内筒２４１の外周面２４１Ａと延長線５５との距離のうち、軸線Ａｍ方向における内筒２４１の入口からストラット４３の軸線Ａｍ方向の中心位置Ｐｃまでの範囲で最も大きい値となる距離を第四距離Ｌ４とすると、この第四距離Ｌ４は、最も下流側に配置されたタービン動翼段２３のタービン動翼２４の翼高さに対して１０％以下とされている。なお、この第三実施形態の図５で示す第四距離Ｌ４は、第二傾斜面２５２のうち最も軸線Ａｍ方向の一方側の箇所と延長線５５との距離（第一実施形態の第二距離Ｌ２）となっているが、第一傾斜面５１、第二傾斜面２５２、接続面５３の形状によって、第四距離Ｌ４の位置は変化する。
【００８６】
上述した第四距離Ｌ４は、最も下流側のタービン動翼段２３を構成するタービン動翼２４の翼高さに対して、０％よりも大きく５％以下としても良い。さらに、第四距離Ｌ４は、０％よりも大きく３％以下としても良い。
【００８７】
上述した第三実施形態では、第四距離Ｌ４をタービン動翼２４の翼高さに対して１０％以下としていることで、流れの向きに起因する剥離が生じることを抑制できる。そのため、ストラット４３の出口で境界層が発達したとしても、流れが剥離することを抑制でき、ディフューザ４Ｃの性能を向上できる。これに対して第四距離Ｌ４をタービン動翼２４の翼高さに対して１０％よりも大きくすると、流れの向きが径方向外側を向き過ぎることになり、流れの向きに起因する剥離が生じることを助長する。そのため、ストラット４３の下流側で流れが剥離してしまう可能性がある。
【００８８】
また、第四距離Ｌ４をタービン動翼２４の翼高さに対して５％以下とした場合は、１０％以下とした場合よりも更に流れの剥離を抑制することができる。
さらに、第四距離Ｌ４をタービン動翼２４の翼高さに対して３％以下とした場合は、５％以下とした場合よりも、より一層流れの向きに起因する剥離を抑制することができる。
【００８９】
また、第四距離Ｌ４は、タービン動翼２４の翼高さに対して０％よりも大きく設定されているため、延長線５５から内筒２４１の外周面２４１Ａが径方向外側に配置される分だけ、排気ガスの主流の全圧を高めて、外周面２４１Ａに沿って形成される境界層の厚さを抑制できる。
【００９０】
この発明は上述した各実施形態の構成に限られるものではなく、その要旨を逸脱しない範囲で設計変更可能である。
例えば、上述した接続面５３や第二傾斜面５２，１５２，２５２の延長線５５に対する傾斜角度や傾斜向きは一例であってこの構成に限られない。また、接続面５３は、必要に応じて設ければ良く、省略しても良い。
さらに、第一傾斜面５１が延長線５５と交差する位置に配置される場合について説明したが、延長線５５よりも径方向外側に配置されていても良い。
【符号の説明】
【００９１】
１  圧縮機
２Ａ，２Ｂ，２Ｃ  タービン
３  燃焼器
４Ａ，４Ｂ  ディフューザ
１１  圧縮機ロータ
１２  圧縮機ケーシング
１３  圧縮機動翼段
１４  圧縮機動翼
１５  圧縮機静翼段
１６  圧縮機静翼
２１  タービンロータ
２２  タービンケーシング
２３  タービン動翼段
２４  タービン動翼
２５  タービン静翼段
２６  タービン静翼
４１，１４１，２４１  内筒
４１Ａ，１４１Ａ，２４１Ａ  外周面
４２  外筒
４３  ストラット
４４  ストラット
５０  シールガス流入口
５１  第一傾斜面
５２，１５２，２５２  第二傾斜面
５３  接続面
５４  プラットフォーム
５５  延長線
５６ａ  前縁部
５６ｂ  後縁部
５７  梁部
５８  内壁
５９  下面
６１  第一頂部
６２  第二頂部
７０  第三傾斜面
９１  ガスタービンロータ
９１Ａ  軸端部
９２  ガスタービンケーシング
１００  ガスタービン
１５２Ａ  縁部
Ａｍ  軸線
Ｃ  排気流路
Ｇ  発電機
Ｐ  変化点
【図１】
2018141451.tif 000003
【図２】
2018141451.tif 000004
【図３】
2018141451.tif 000005
【図４】
2018141451.tif 000006
【図５】
2018141451.tif 000007